(57)【要約】【課題】プリント基板を収納した基板ケースを筐体から容易に取り外せない構造とし、不正な基板交換を防止する。【解決手段】正面が開口する箱形の筐体１に、基板ケース７４と係合して基板ケース７４をスライド自在に保持する移動補助部材５０を設け、プリント基板６０Ｂを収納した基板ケース７４を移動補助部材５０に保持させた後に、プリント基板６０Ｂを収納した基板ケース７４を保持している移行補助部材５０を筐体１に設置するように形成され、移動補助部材５０は、筐体１に設置したときに筐体１の内面に当接するまで基板ケース７４をスライドさせても、当該移動補助部材５０と基板ケース７４との係合が外れない位置に設置され、基板ケース７４をスライドさせただけでは、基板ケース７４を筐体１から取り外せないように形成した。【選択図】図４
2012139551.tif 000002
【特許請求の範囲】
【請求項１】
正面が開口する箱形の筐体と、
前記筐体の内面に配置されるプリント基板と、
前記プリント基板を収納するための基板ケースと、を備えている遊技機であって、
前記筐体には、前記基板ケースと係合して、前記基板ケースをスライド自在に保持する移動補助部材を設け、
前記基板ケースに前記プリント基板を収納して、前記プリント基板を収納した前記基板ケースを前記移動補助部材に保持させた後に、前記プリント基板を収納した前記基板ケースを保持している前記移行補助部材を前記筐体に設置するように形成され、
前記移動補助部材は、前記筐体に設置したときに前記筐体の内面に当接するまで前記基板ケースをスライドさせても、当該移動補助部材と前記基板ケースとの前記係合が外れない位置に設置され、
前記基板ケースをスライドさせただけでは、前記基板ケースを前記筐体から取り外せないように形成されていることを特徴とする遊技機。
【請求項２】
前記基板ケースは、
前記プリント基板を収納するための本体及びカバーと、
前記本体及びカバーを固定するための固定部材と、を備え、
前記固定部材には、当該固定部材の固定又は固定解除操作を行うための操作部が設けられ、
前記本体及びカバーに前記プリント基板を収納し、前記本体及びカバーを前記固定部材によって固定するように形成され、
前記基板ケースは、
前記筐体に設置したときに背面側となる側から、前記固定部材の固定又は固定解除操作を行うように形成され、前記筐体に設置したときに前面側となる側には、前記固定部材の操作部が露出しないように形成されていることを特徴とする請求項１記載の遊技機。
【発明の詳細な説明】
【技術分野】
【０００１】
この発明は、遊技機に関するものである。
【背景技術】
【０００２】
従来、資源の有効利用、遊技機交換作業の簡易化及び経費節減の観点から、回転リール及び制御基板を支持体に搭載した交換ユニットを、遊技機の筐体から着脱自在に形成した分離型スロットマシンが考案されている。そして特許文献１に示すように、この分離型スロットマシンの着脱作業を容易にするため、筐体側の内装部材と交換ユニット側の搭載部品との間の電気的接続が、着脱作業と同時に行われるようにした技術も考案されている。一方、特許文献２に示すように、遊技盤が本体から分離可能に形成されたパチンコ遊技機において、制御基板を複数機種に共通して使用可能な共通回路と機種固有の非共通回路に分ける技術が知られている。
【先行技術文献】
【特許文献】
【０００３】
【特許文献１】特開２００５−３４２１９６号公報
【特許文献２】特許第２９１３２９７号公報
【発明の概要】
【発明が解決しようとする課題】
【０００４】
上記したような分離型遊技機においては、交換部材の着脱の容易さ及び固定の確実さが求められると同時に、例えば制御基板の不正な取り替えなどのいわゆるゴト行為に対する対策も必要である。また、分離型遊技機においては、交換側に配置される部品点数を極力少なくして、交換費用をより削減することが求められるところ、遊技機を制御するための制御基板については、必ずしも交換が必要でないものまで交換ユニットに搭載されており、改良の余地があった。
そこで、下記の各発明は、上記した問題点を解決すべくなされたものであり、以下のような目的を有する。
【０００５】
すなわち、下記の第１及び第２の発明は、プリント基板を収納した基板ケースを筐体から容易に取り外せない構造とし、不正な基板交換を防止することができる遊技機を提供することを目的とする。
また、下記の第１及び第２の参考発明は、交換ユニットから主基板を容易に取り外せない構造とし、不正な基板交換を防止するとともに、交換ユニットに主基板を取り付ける作業は容易に行うことができる遊技機を提供することを目的とする。
【課題を解決するための手段】
【０００６】
以下に説明する各発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（第１の発明）
（特徴点）
第１の発明は、次の点を特徴とする。
すなわち、第１の発明は、正面が開口する箱形の筐体(1)と、前記筐体(1)の内面に配置されるプリント基板(プリント基板60B)と、前記プリント基板(60B)を収納するための基板ケース(ＩＯ基板ケース74)と、を備えている遊技機であって、前記筐体(1)には、前記基板ケース(74)と係合して、前記基板ケース(74)をスライド自在に保持する移動補助部材(スライド部材50)を設け、前記基板ケース(74)に前記プリント基板(60B)を収納して、前記プリント基板(60B)を収納した前記基板ケース(74)を前記移動補助部材(50)に保持させた後に、前記プリント基板(60B)を収納した前記基板ケース(74)を保持している前記移行補助部材(50)を前記筐体(1)に設置するように形成され、前記移動補助部材(50)は、前記筐体(1)に設置したときに前記筐体(1)の内面に当接するまで前記基板ケース(74)をスライドさせても、当該移動補助部材(50)と前記基板ケース(74)との前記係合が外れない位置に設置され、前記基板ケース(74)をスライドさせただけでは、前記基板ケース(74)を前記筐体(1)から取り外せないように形成されていることを特徴とする。
【０００７】
（第２の発明）
（特徴点）
第２の発明は、上記した第１の発明の特徴点に加え、次の点を特徴とする。
すなわち、前記基板ケース(74)は、前記プリント基板(60B)を収納するための本体(75)及びカバー(76)と、前記本体(75)及びカバー(76)を固定するための固定部材と、を備え、前記固定部材には、当該固定部材の固定又は固定解除操作を行うための操作部が設けられ、前記本体(75)及びカバー(76)に前記プリント基板(60B)を収納し、前記本体(75)及びカバー(76)を前記固定部材によって固定するように形成され、前記基板ケース(74)は、前記筐体(1)に設置したときに背面側となる側から、前記固定部材の固定又は固定解除操作を行うように形成され、前記筐体(1)に設置したときに前面側となる側には、前記固定部材の操作部が露出しないように形成されていることを特徴とする。
【０００８】
（第１の参考発明）
（特徴点）
第１の参考発明は、次の点を特徴とする。
すなわち、第１の参考発明は、正面が開口する筐体(1)と、前記筐体(1)の正面開口から筐体(1)内部に収納設置され前記筐体(1)に対して着脱自在に形成された交換ユニット(2)とを備え、前記交換ユニット(2)は、支持体(21)に、少なくとも、複数の図柄を変動表示及び停止表示可能な図柄表示手段と、当選判定の抽選及び前記図柄表示手段の表示その他の遊技に関する制御を行うための主基板(24)とを搭載して成る遊技機に係る。
【０００９】
本発明に係る遊技機は、遊技場に設置される遊技機であって、例えばスロットマシンに適している。
ここで、前記「図柄表示手段」は、表面に複数の図柄を表示したリールテープを巻き付けて成る回転リール(23)の他に、液晶表示装置を用いて表示画面に図柄を変動表示及び停止表示可能に形成したものが含まれる。なお、遊技機としては、上記構成の他に、筐体(1)の前面側に開閉自在に取り付けられた扉体(前扉３)や、入賞時にメダルなどの遊技媒体を払い出すための払い出し装置（ホッパーユニット５）などを有していてもよい。
前記主基板(24)は、主として遊技機の作動を制御するための制御基板である。具体的には、スロットマシン(S)の場合には、複数の図柄配列からなる当選役の抽選処理を行なったり、スタートスイッチ(44)及びストップスイッチ(45)の操作信号に基づく回転リール(23)の回転及び回転停止処理を行なったり、回転リール(23)の図柄の停止位置から入賞の有無を判定し、入賞の場合にはホッパーユニット(5)を作動させてメダルを払い出したりするためのものである。
【００１０】
また、本発明では、前記主基板(24)は、本体(72)及びカバー(71)から成るケース部（主基板ケース70）に基板部（プリント基板24B）を収納し、前記本体(72)及びカバー(71)を複数の固定部材によって固定して形成されるとともに、前記基板部(24B)の基板面を正面側に向けて前記支持体(21)の背面部(H)に設けられた主基板固定部(22A)の正面に固定される。そして、前記固定部材として、前記本体(72)及び前記カバー(71)及び前記支持体(21)を一体的に固定することができる支持体固定部材（支持体固定ネジＱ）を少なくとも備え、前記支持体固定部材(Q)は、前記支持体(24)の背面側からのみ固定操作又は固定解除操作を行うように形成されているとともに、前記支持体(21)及び前記本体(72)を貫通して前記本体(72)と前記カバー(71)とを前記支持体(21)に固定することができることを特徴とする。
【００１１】
本発明において、主基板(24)は、基板部(24B)の基板面が正面側から視認可能となるよう設置されており、前記ケース部(70)のカバー(71)は透明部材で形成してもよい。前記「固定部材」は、ボルト、ビスなどの他に、カシメ、ピンなどを含む。
ここで、支持体(21)の「背面部」とは、枠状又は箱状の支持体(21)の背面に配置される背面枠又は背面板を含む。
前記支持体固定部材(Q)は、一回の固定操作でケース部(70)の本体(72)とカバー(71)を固定すると同時に、ケース部(70)と支持体(21)をも固定することができるようなものである。例えば、固定部材がネジの場合、支持体(21)の基板固定部(22A)に設けられたネジ穴に背面側からネジを挿通させ本体(72)とカバー(71)をネジ止めするものを含む。
【００１２】
なお、本発明においては、固定部材として、前記本体(72)とカバー(71)を固定するための基板固定部材（基板固定ネジＰ）を有していてもよい。基板固定部材(P)の固定方向は問わない。すなわち、ケース部(70)の裏面側（支持体(21)に設置したとき背面となる側）から固定するものであってもよいし、ケース部(70)の表面側（支持体(21)に設置したとき正面となる側）から固定するものであってもよい。いずれにしても、支持体固定部材(Q)の固定解除をしない限り、主基板(24)を支持体(21)から取り外せないし、本体(72)からカバー(71)を取り外すこともできない。
（作用）
本発明において、交換ユニット(2)に主基板(24)を取り付ける際には、ケース部(70)の本体(72)に基板部(24B)収納し、カバー(71)を被せて、例えば２つの基板固定部材(P)で本体(72)とカバー(71)とを固定する。それからケース部(70)を支持体(21)の基板固定部(22)に設置し、支持体(21)の背面側から、例えば２つの支持体固定部材(Q)で、支持体(21)と、カバー(71)及び本体(72)とを同時に固定する。このように形成されているため、例えばカバー(71)と本体(72)を４つの固定部材で裏面側から固定した後、さらに支持体(21)に固定部材で固定する場合と比べ、取り付け作業を効率的に行うことができる。
【００１３】
一方、交換ユニット(2)を筐体(1)の定位置に設置すると、支持体(21)の背面部(H)は筐体(1)の奥側になり、ケース部(70)と支持体(21)とを固定した部分はケース部(70)の裏側に位置するため、支持体固定部材(Q)は正面側から視認不能かつ固定解除操作も不能である。すなわち、交換ユニット(2)を設置したままでは、主基板(24)を支持体(21)から取り外すことができず、主基板(24)を支持体(21)から取り外す場合には、交換ユニット(2)を筐体(1)から取り出して、支持体(21)の裏側から固定解除操作をしなければならない。このように、遊技場において主基板(24)を付け替えようとすると、交換ユニット(2)の着脱という大がかりな作業を必要とするため、不正な基板交換を行い難くすることができる。
【００１４】
（第２の参考発明）
（特徴点）
第２の参考発明は、次の点を特徴とする。
すなわち、第２の参考発明は、正面が開口する筐体(1)と、前記筐体(1)の正面開口から筐体内部に収納設置され前記筐体(1)に対して着脱自在に形成された交換ユニット(2)とを備え、前記交換ユニット(2)は、支持体(21)に、少なくとも、複数の図柄を変動表示及び停止表示可能な図柄表示手段と、当選判定の抽選及び前記図柄表示手段の表示その他の遊技に関する制御を行うための主基板(24)とを搭載して成る遊技機である。前記主基板(24)は、本体(72)及びカバー(71)から成るケース部(70)に基板部(24B)を収納し、前記本体(72)及びカバー(71)を複数の固定部材によって固定して形成されるとともに、前記基板部(24B)の基板面を正面側に向けて前記支持体(21)の背面部(H)に設けられた主基板固定部(22A)の正面に固定される。
【００１５】
そして、本発明では、前記固定部材として、前記本体(72)と前記カバー(71)とを固定するための基板固定部材(P)と、少なくとも前記本体(72)と前記支持体(21)とを固定することができる支持体固定部材(Q)とを備え、前記基板固定部材(P)は、前記本体(72)の背面側からのみ固定操作又は固定解除操作を行うように形成されているとともに、前記支持体固定部材(Q)は、前記支持体(21)の背面側からのみ固定操作又は固定解除操作を行うように形成されている。また、前記支持体固定部材(Q)は、前記支持体(21)を貫通して少なくとも前記本体(72)を前記支持体(21)に固定することができることを特徴とする。
【発明の効果】
【００１６】
本発明は、以上のように構成されているので、以下のような効果を奏する。
すなわち、第１及び第２の発明に係る遊技機は、プリント基板を収納した基板ケースを筐体から容易に取り外せない構造とし、不正な基板交換を防止することができる。
また、第１及び第２の参考発明に係る遊技機は、交換ユニットから主基板を容易に取り外せない構造とし、不正な基板交換を防止することができるとともに、交換ユニットに主基板を取り付ける作業は容易に行うことができる。
【図面の簡単な説明】
【００１７】
【図１】本発明の実施の形態であって、スロットマシンの外観斜視図である。
【図２】本発明の実施の形態であって、スロットマシンの分解斜視図である。
【図３】本発明の実施の形態であって、筐体の縦断面図である。
【図４】本発明の実施の形態であって、筐体の正面図である。
【図５】本発明の実施の形態であって、交換ユニットの斜視図である。
【図６】本発明の実施の形態であって、交換ユニットの部分斜視図である。
【図７】本発明の実施の形態であって、交換ユニットの背面図である。
【図８】本発明の実施の形態であって、主基板及びＩＯ基板の斜視図である。
【図９】本発明の実施の形態であって、主基板の分解斜視図である。
【図１０】本発明の実施の形態であって、ＩＯ基板の分解斜視図である。
【図１１】本発明の実施の形態であって、ＩＯ基板と主基板の接続を示す斜視図である。
【発明を実施するための形態】
【００１８】
本発明を実施するための最良の形態を図面に基づき説明する。
（図面の説明）
図１乃至図１１は、本発明の実施の形態を示すものである。
図１はスロットマシンＳの外観斜視図、図２はスロットマシンＳの分解斜視図、図３はスロットマシンＳの縦断面図、図４は前扉を外した筐体１の正面図、図５〜図７は交換ユニット２を示す図、図８〜図１１は主基板及びスライド部材50とＩＯ基板60を示す図である。
本実施の形態におけるスロットマシンＳは、図２に示すように、大きく分けて、正面側に開口部11を有する筐体１、筐体１内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
【００１９】
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には、電源ユニット４が固定されホッパーユニット５が設置されており、正面左側の側板16には、上扉30及び下扉40を係合させ、回転自在に支持するためのヒンジ19が、上下方向に間隔をおいて二つずつ設けられている。
ここで、前記電源ユニット４は、特に図示しないが電源装置が内装されていると共に、ホール管理者が種々の設定を行うためのスイッチ等を有しているものである。前記ホッパーユニット５は、メダルを貯留可能であるとともに入賞時等にメダルを払い出すためのものである。
【００２０】
また、図２及び図４に示すように、裏板18の開口上部13側には、スロットマシンＳの作動を制御する制御基板のうち筐体１に固定される制御基板から成る非交換制御部６と、非交換制御部６と交換ユニット２に設けられる制御基板とを電気的に接続させるための筐体コネクタ80が設けられている。さらに、裏板18には、筐体１の開口上部13に配置されている基板やコネクタと、開口下部13に配置されている電源ユニット４及びホッパーユニット５とを接続している電気配線を収納するためのハーネスダクト10が取り付けられている。
ここで、前記非交換制御部６としては、図２及び図４に示すように、ＩＯ基板60、メイン筐体基板61、サブ筐体基板62、メイン操作基板63が設けられている。
【００２１】
前記ＩＯ基板60は、筐体１に配置される構成部品と、交換ユニット２に配置される構成部品との間の、電気信号の入出力を制御するための入出力制御基板である。そして、本実施の形態においては、ＩＯ基板60は、裏板18に左右方向にスライド可能に取り付けられており、交換ユニット２の着脱時にスライドさせることにより電気的接続の接続及び切断が行われるとともに、交換ユニット２のロック及びロック解除ができるように形成されている。
前記メイン筐体基板61及びサブ筐体基板62は、以下に述べる交換ユニット２に設けられたメインリール基板25及びサブリール基板27との接続用中継基板であり、ＩＯ基板60を介して、電源ユニット４等の筐体１の内装装置と、リールユニット２の主基板24、サブ基板26とを接続するためのものである。また、前記メイン操作基板63は、スロットマシンＳの設定等を操作するための基板である。
【００２２】
そして、前記電源ユニット４、ホッパーユニット５、ハーネスダクト10、筐体コネクタ80及び非交換制御部６は、スロットマシンＳの全機種に共通して使用可能な構成部品であり、いわゆる面替えの際には、筐体１に残したままにしておける非交換部材である。そして、筐体１は、面替えに際して、遊技場に設置したままにしておけるものである。
（ＩＯ基板60とＩＯ基板60の筐体１への取り付け）
ここで、前記ＩＯ基板60について詳述する。
ＩＯ基板60は、図８（Ｂ）に示すように、薄型箱状のＩＯ基板ケース74に、ＩＣチップ等の電子部品を装着したプリント基板60Bを収納したものであり、図３及び図４に示すように、スライド部材50を介して筐体１の裏板18に取り付けられる。また、ＩＯ基板ケース74の側面には、前記プリント基板60Bに設けられたＩＯ基板60の外部接続端子であるＩＯ基板コネクタ60Aが表出しており、ＩＯ基板ケース74の上下端部には、ほぼ幅方向にわたってレール部77が設けられている。
【００２３】
前記ＩＯ基板ケース74は、図１０に示すように、本体75及びカバー76から成る。本体75は、上下端部にレール部77が形成されているとともに、プリント基板60Bを固定可能であり、カバー76にはＩＯ基板コネクタ60Aを表出させるための開口部が設けられている。そして、本体75及びカバー76の側方にそれぞれに設けられたネジ止め部78を、図示しないネジで本体75側（すなわち背面側）から固定することにより、プリント基板60Bがケース内部に収納されるようになっている。なお、このように本体75側からネジ止めするため、カバー76の前面（つまり筐体１に取り付けたときに正面側となる面）にはネジが露出しない。
【００２４】
一方、スライド部材50は、図１０に示すように、ベース板51の上下端部に、正面側に張り出す側面視略Ｌ字型の係止部52が形成された薄板部材であり、係止部52の内側は、前記ＩＯ基板ケース74のレール部77を挟持可能な溝部53となっている。また、ベース板51の側端部には、側方に張り出す取り付け部54が設けられており、取り付け部54に形成されたネジ孔54a,54bにネジを挿通して、筐体１の裏板18の表面に固定されるものである。
そして、前記ＩＯ基板60は、前記スライド部材50の溝部53に、側方からＩＯ基板ケース74のレール部77を嵌め込み、レール部77と係止部53を係合させることによって、左右方向にスライド自在にスライド部材50に支持される（図１１参照）。このようにしてＩＯ基板60を取り付けたスライド部材50を裏板18に固定することにより、ＩＯ基板60が裏板18に対して左右方向にスライド自在に取り付けられるものである。
【００２５】
なお、図４に示すように、スライド部材50の取り付け位置は、ＩＯ基板60を最大限（ＩＯ基板ケース74の側端部が筐体１の側板16に当接するまで）右側又は左側に移動させても、係止部52とレール部73の係合が外れない位置となっているので、ＩＯ基板60をスライド部材50から抜き取ることはできない。また、ＩＯ基板ケース74は、スライド部材50を介して筐体１に取り付けたとき、本体75とカバー76を固定しているネジは裏側に位置しているので、正面側からカバー76を取り外すことはできない。すなわち、ＩＯ基板60を筐体１から取り出すには、スライド部材50ごと取り外す必要がある。そして、スライド部材50を筐体１から取り外すには、上述したような手間がかかるので、結果として、ＩＯ基板60は筐体１から簡単には取り出せないこととなる。
【００２６】
（交換ユニット２）
交換ユニット２は、図５及び図７に示すように、支持体21と、支持体21に固定されたリールユニット20と、スロットマシンＳの作動を制御する制御基板のうち、支持体21に固定される制御基板から成る交換制御部７と、交換御基部７と非交換制御部６とを電気的に接続させるための交換ユニットコネクタ90が設けられている。前記リールユニット20、交換御基部７、交換ユニットコネクタ90は、交換部材として位置づけられる。
ここで、リールユニット20は、スロットマシンＳの主たる遊技装置であって、周囲に複数の図柄（図示せず）を表示した３個の回転リール23と、特に図示しないが、各回転リール23を回転させるための駆動モータを有している。
【００２７】
またここで、前記交換制御部７は、主基板24、メインリール基板25、サブ基板26及びサブリール基板27とから形成されている。前記主基板24は、ＣＰＵを中心にＲＯＭ、ＲＡＭを備え、当選役を決定する抽選、回転リール23の回転及び停止等、遊技に関するすべての制御を行うための基板であり、前記メインリール基板25は、リールユニット20の制御の中継を行うための基板である。また、サブ基板26は、主基板24からの出力信号に基づいて、液晶表示装置32に画像を表示させたり飾り部33のランプを点滅させたりする演出を行わせるための基板であり、サブリール基板27は、主基板24からの信号を、筐体１に設けられたＩＯ基板60を介してサブ基板26に中継するための中継基板である。
【００２８】
なお、前記主基板24及びサブ基板26は、機種ごとに異なるものであって、これらを変更することにより遊技内容及びそれに付随する演出が変更される。そして、交換ユニット２を交換することにより、遊技を行わせるためのソフト部分（主基板24等）とハード部分（リールの図柄配列等）が同時に交換されることとなる。
前記支持体21は、前記リールユニット20を固定する略方形の枠体の上側に、交換制御部７の主基板24及びメインリール基板25を固定するための基板固定部22を設けた構造となっている。この基板固定部22は、図５に示すように、支持体21の板状の背面部Ｈの正面視右側に形成された凹み部である主基板固定部22Aと、同じく正面視左側に形成された凸部であるメインリール基板固定部22Bとから成る。そして、前記主基板固定部22Aの正面側には主基板24が、メインリール基板固定部22Bの正面側にはメインリール基板25がそれぞれ固定されている。
【００２９】
また、前記メインリール基板固定部22Bの裏側は、主基板固定部22Aとの段差によって空間部22Cが形成されており、この空間部22Cには、交換ユニット２の筐体１への固定時に、筐体１の裏板18に固定されたＩＯ基板60が位置するようになっている。
前記サブ基板26は、前記メインリール基板25の正面側に設けられており、前記サブリール基板27は、図６に示すように、支持体21の側面部に設けられている。
さらに、支持体21の背面側には、図７に示すように、空間部22Cの下側（メインリール基板固定部22Bの裏側の下方）に、交換ユニットコネクタ90が設けられている。交換ユニットコネクタ90は、図３に示すように、交換ユニット２の筐体１への収納固定時に、筐体１に設けられた筐体コネクタ80と接続され、これにより筐体１と交換ユニット２とが電気的に接続されるものである。
【００３０】
交換ユニット２は、筐体１の中板12の上に乗せ、開口上部13内部に収納されるものである。そして、筐体１の側板16の内側に設けられたクリップなどの固定装置（図示せず）によりに固着される。そして、機種変更の際には、少なくとも交換ユニット２を交換することにより遊技内容が変更され、筐体１はそのままで新たな遊技機として使用できるものである。
（主基板24と主基板24の支持体21への取り付け）
ここで、主基板24について詳述する。
主基板24は、図８（Ａ）に示すように、薄型箱状の主基板ケース70に、ＩＣチップ等の電子部品を装着したプリント基板24Bを収納したものであり、図５及び図９に示すように、支持体21の主基板固定部22Aに取り付けられる。また、主基板ケース70の側面には、前記プリント基板24Bに設けられた主基板24の外部接続端子である主基板コネクタ24Aが表出している。
【００３１】
前記主基板ケース70は、図９に示すように、本体71及びカバー72から成る。本体71は、プリント基板24Bを固定可能であり、カバー72には主基板コネクタ24Aを表出させるための開口部が設けられている。そして、本体71及びカバー72の側方にそれぞれに設けられたネジ止め部73を基板固定ネジＰ及び支持体固定ネジＱで固定することにより、プリント基板24Bがケース内部に収納されるようになっている。
さらに、主基板24は、前記本体71及びカバー72の固定時において、主基板固定部22Aに組み付けられるようになっているとともに、図７及び図９に示すように、支持体21の裏側から支持体固定ネジＱにより固定されるようになっている。すなわち、主基板24を交換ユニット２の支持体21に固定する場合には、まず正面左側のネジ止め部73aを基板固定ネジＰで固定し、その後、支持体21の背面部Ｈの背面側から、主基板固定部22Aに設けられた貫通孔を通して支持体固定ネジＱにより正面右側のネジ止め部73bを固定するものである。
【００３２】
そして、主基板24を支持体21に固定した交換ユニット２を、筐体１の定位置に設置すると、図５に示すように、カバー71の前面（つまり筐体１に取り付けたときに正面側となる面）にはネジが露出しない。
このように形成してあるので、主基板24の組み立てと支持体21への装着が平行して行われ効率よく取り付け作業を行うことができるとともに、交換ユニット２を筐体１から取り出さないと、主基板24を支持体21から取り外すことができないようにすることができる。
なお、図示した例では基板固定ネジＰを主基板ケース70の背面側（本体71側）から固定しているが、基板固定ネジＰは主基板ケース70の正面側（カバー71側）から固定するようにしてもよい。少なくとも、支持体固定ネジＱが支持体21の裏側から固定されるようになっていればよい。このように形成した場合でも、基板固定ネジＰを取り外しただけでは主基板ケース70の本体72からカバー71を取り外すことはできず、かつ主基板ケース70を支持体21から取り外すこともできない。もちろん、セキュリティの向上を図るため、基板固定ネジＰを主基板ケース70の裏面側（本体72側）から固定するようにするのが最も望ましい。
【００３３】
（上扉30）
上扉30は、筐体１の開口上部13を塞ぐための板状の扉であり、筐体１の側板16に回転自在かつロック可能に形成されているものである。そして図１に示すように、略中央部に前記回転リール23の図柄を正面側から見ることができる図柄表示窓31が形成された上パネル34を有している。また、図柄表示窓31の上方には、動画等により種々の演出表示を行うための液晶表示装置32が設けられており、上パネル34の周囲には、ランプ等の電飾を含む飾り部33が設けられている。
そして、上扉30を閉じると、ヒンジ19の反対側に設けられたラッチ錠により自動的にロックされ、筐体１の開口上部13が密閉される。また、下扉40を解放した状態で、特に図示しないが上扉30の下側に設けられた解除つまみを下方に引き下げることにより、上扉30のロックが解除されるようになっている。
【００３４】
なお、上扉30は、上パネル34を交換することにより、異なる機種にも対応させることができる。すなわち、機種交換に際して、上扉30本体と液晶表示装置32などの演出表示部を筐体１に残しておけるものである。また、機種変更により上扉30の正面デザインを変更する場合には、筐体１から取り外して新たな上扉30と交換することができる。
（下扉40）
下扉40は、筐体１のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
【００３５】
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、下扉40を解錠するためのものである。
なおスロットマシンＳは、メダルの投入又はベットスイッチ43の操作によりスタートスイッチ44の操作が有効となり、スタートスイッチ44の操作によって回転リール23が回転開始する。そして主基板24により行われる当選判定の抽選結果が所定の当選役に当選している場合に、ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
【００３６】
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
下扉40は、下パネル47を交換することにより、異なる機種にも対応させることができる。すなわち、機種交換に際して、下扉40本体は筐体１に残しておけるものである。また、下扉40本体が破損した場合や、機種変更により操作部41の形態が変更される場合には、筐体１から取り外して新たな下扉40と交換することができるものである。
【００３７】
（交換ユニット２の着脱）
次に、以上のような構成を有するスロットマシンＳにおける交換ユニット２の着脱手順を説明する。
ここで、交換ユニット２が筐体１の定位置に収納固定されている状態においては、図５に示すように、ＩＯ基板60は支持体20の空間部22Cに位置しており、主基板固定部22Aに固定されている主基板24は、スライド部材50の手前側であってＩＯ基板60と並列する位置にある。そして、ＩＯ基板コネクタ60Aと、主基板コネクタ24Aは結合状態となっている（図１１（Ｂ）参照）。また、図３に示すように、筐体コネクタ80と交換ユニットコネクタ90が結合されており、図６（Ｂ）に示すように、サブリール基板27はサブ筐体基板62と基板同士で接続している。すなわち、サブリール基板27とサブ筐体基板62には、それぞれに特に図示しないコネクタが設けられていて、これが結合されている。この状態において、交換ユニット２は、所定の固定装置（図示せず）によって筐体１にロックされているとともに、前記ＩＯ基板コネクタ60Aと主基板コネクタ24Aの結合により、手前側への移動を制限されている。
【００３８】
まず、筐体１に固定されている交換ユニット２を取り外す場合には、交換ユニット２と側板16の隙間から手を入れてＩＯ基板60を図５における右方向にスライドさせる。これにより、ＩＯ基板コネクタ60Aと主基板コネクタ24Aの結合が外れる（図１１（Ａ）参照）。次に、交換ユニット２と筐体１とを固定している固定装置の固定を解除し（例えばクリップを外し）、交換ユニット２を手前側に引き出せば、筐体コネクタ80と交換ユニットコネクタ90の結合、及びサブリール基板27とサブ筐体基板62の結合が解除される（図６（Ａ）参照）。筐体コネクタ80と交換ユニットコネクタ90、サブリール基板27とサブ筐体基板62は、前後方向に結合しているため、交換ユニット２を引き出すと同時にその結合が外れるものである。そして、交換ユニット２を筐体１の開口上部13から取り出すことができる。
【００３９】
このように、固定装置を解除してＩＯ基板60をスライドさせるだけで、面倒なハーネスの取り外し作業を一切行うことなく、交換ユニット２を筐体１から取り外すことができるものである。
一方、交換ユニット２を筐体１に収納固定する場合には、まず、ＩＯ基板60を図１１（Ａ）に示す位置（スライド部材50の左端に主基板24が位置するのに必要十分なスペースが生じるようＩＯ基板60をスライドさせた位置）に移動させておき、交換ユニット２を開口上部13内に押入する。交換ユニット２を定位置まで押入させれば、筐体コネクタ80と交換ユニットコネクタ90、及びサブリール基板27とサブ筐体基板62がそれぞれ合致して結合される（図３、図６（Ｂ）参照）。このとき、ＩＯ基板60は支持体21の空間部22Cに位置し、主基板24と並列する。そこで、交換ユニット２と側板16の隙間から手を入れてＩＯ基板60を図５における左方向にスライドさせることにより、ＩＯ基板コネクタ60Aと主基板コネクタ24Aが結合される（図１１（Ｂ）参照）。この結合により、交換ユニット２の前後方向の移動が規制される。しかる後、所定の固定装置により交換ユニット２を筐体１にロックすれば、交換ユニット２は筐体１に確実に固定される。
【００４０】
このように、交換ユニット２を筐体１に収納固定する場合にも、面倒なハーネスの取り付け作業を一切行う必要がない。
なお、筐体コネクタ80と交換ユニットコネクタ90の接続とは異なり、交換ユニット２を定位置に収納してから手動でＩＯ基板60を動かして、ＩＯ基板コネクタ60Aと主基板コネクタ24Aを接続するようにしてあるので、交換ユニット２の押入時にコネクタ部分が衝突して破損するおそれもない。これは、重要基板である主基板24を直接接続するにあたっては、このように段階的な接続とするのが好ましいと考えられること、プリント基板24B,60Bに頑丈なコネクタ部分を形成しなくてもよいこと、に基づくものである。
【００４１】
以上のように、本実施の形態によれば、主基板24は、交換ユニット２の背面側に位置し、かつ支持体21の背面側から支持体固定ネジＱを外さないと支持体21から取り出せない構造にしてある。このように形成されているので、主基板24に関しては、不正な基板に付け替えて遊技設定を不正に変更するいわゆる基板交換ゴトに対して、防犯効果が高まるものである。
また、本実施の形態においては、上記に加え、従来は主基板24に搭載されていた入出力制御に係る基板部分をＩＯ基板60として筐体１側に残すようにしたので、交換に係る部品点数を少しでも減らして交換費用の削減を図ることができる。また、主基板24とＯ基板60を基板同士で接続可能としたので、交換作業時において交換ユニット２に付いているハーネスを筐体１内部の装置などに引っかけたり挟んだりすることがなく、作業効率を上げることができる。
【００４２】
なお、本実施の形態では、主基板24とＩＯ基板60を基板同士で接続することにより、筐体１と交換ユニット２との電気的接続を行うとともに、この基板接続によって交換ユニット２がロックされるように形成してあったが、本発明は、従来タイプの、交換ユニットにＩＯを含む主基板が搭載されたスロットマシンにも応用できるものである。
【符号の説明】
【００４３】
Ｓ  スロットマシン（遊技機）
１  筐体                            ２  交換ユニット
３  前扉                            ４  電源ユニット
５  ホッパーユニット                ６  非交換制御部
７  交換制御部
10  ハーネスダクト                  11  開口部
12  中板                            13  開口上部
14  開口下部                        15  底板
16  側板                            17  天板
18  裏板                            19  ヒンジ
20  リールユニット                  21  支持体
22  基板固定部                     22A  主基板固定部
22B  メインリール基板固定部         22C  空間部
23  回転リール                      24  主基板
24A  主基板コネクタ                 24B  プリント基板
25  メインリール基板                26  サブ基板
27  サブリール基板
30  上扉                            31  図柄表示窓
32  液晶表示装置                    33  飾り部
35  スピーカ                        34  上パネル
40  下扉                            41  操作部
42  メダル投入口                    43  ベットスイッチ
44  スタートスイッチ                45  ストップスイッチ
46  メダル皿                        47  下パネル
48  メダルセレクター
50  スライド部材                    51  ベース板
52  係止部                          53  溝部
54  取り付け部                  54a,54b  ネジ孔
60  ＩＯ基板（入出力制御基板）     60A  ＩＯ基板コネクタ
60B  プリント基板                    61  メイン筐体基板
62  サブ筐体基板                    63  メイン操作基板
70  主基板ケース                    71  本体
72  カバー                          73  ネジ止め部
74  ＩＯ基板ケース                  75  本体
76  カバー                          77  レール部
78  ネジ止め部
80  筐体コネクタ                    90  交換ユニットコネクタ
Ｐ  基板固定ネジ（基板固定部材）    Ｑ  支持体固定ネジ（支持体固定部材）
Ｈ  背面部
【図１】
2012139551.tif 000003
【図２】
2012139551.tif 000004
【図３】
2012139551.tif 000005
【図４】
2012139551.tif 000006
【図５】
2012139551.tif 000007
【図６】
2012139551.tif 000008
【図７】
2012139551.tif 000009
【図８】
2012139551.tif 000010
【図９】
2012139551.tif 000011
【図１０】
2012139551.tif 000012
【図１１】
2012139551.tif 000013